(57)【要約】      （修正有）【課題】構造が簡単で、使用が便利且つ低コストで、使用者がその消臭効果が消失した時に消臭剤の交換時期を知ることができる使い捨て靴消臭剤を提供する。【解決手段】上下二個のカバー層１、２は、粘着プレスにより密封され、内部に複数個の収納空間３を有する。消臭粉末４は、複数個の収納空間内に充填されている。複数の滑り止め粒２０は、上下二個のカバー層のうち、下側のカバー層の底面に設置されている。消臭粉末が充填された後の複数個の収納空間は、いずれも上に向かってやや隆起している。消臭粉末が湿気、汗を吸収して飽和状態になると、溶化現象が発生して、隆起している収納空間が平坦状になる。使用者は消臭粉末の消臭効果が消失し、新しいものと交換する時期が来たことを知ることができる。【選択図】図２
0003214397.tif 000002
【実用新案登録請求の範囲】
【請求項１】
粘着プレスにより密封され、内部に複数個の収納空間を有する上下二個のカバー層と、
前記複数個の収納空間内に充填された消臭粉末と、
前記上下二個のカバー層のうち、下側のカバー層の底面に設置された複数の滑り止め粒と、を備え、
前記消臭粉末が充填された後の前記複数個の収納空間は、いずれも上に向かってやや隆起することを特徴とする使い捨て靴消臭剤。
【請求項２】
前記上下二個のカバー層は、通気性、吸水性に優れる不織布、または、通気性、吸水性に優れる布であることを特徴とする請求項１に記載の使い捨て靴消臭剤。
【請求項３】
前記消臭粉末は、カリウムミョウバン（ｐｏｔａｓｓｉｕｍ  ａｌｕｍ）と炭酸ナトリウム（ｓｏｄｉｕｍ  ｃａｒｂｏｎａｔｅ）との化合物、または、消臭薬剤であることを特徴とする請求項１に記載の使い捨て靴消臭剤。
【考案の詳細な説明】
【技術分野】
【０００１】
本考案は、使い捨て靴消臭剤に関する。
【背景技術】
【０００２】
足の臭いに悩んでいる人は多い。足の臭いは、本人が不快であるだけでなく、周囲の人間にも不快感をもたらす。不快な足の臭いは男女問わず、性別に関係なく発生する。一般に、不快な足の臭いの発生の主な原因は、高温、多湿、多汗及び細菌の繁殖である。研究によると、人間の足には平均１平方センチあたり６００個の汗腺があり、この分布は腋の下より百倍多いとされる。特に、足の指の部分は、汗腺から塩分、ブドウ糖、ビタミン、アミノ酸から構成される「非常に栄養価の高い液」が分泌される。前記「非常に栄養価の高い液」は、細菌やバクテリアの繁殖に最適な栄養分となる。このため、汗腺が発達している足の部分は、細菌やバクテリアが大量に繁殖するのに有利な環境にあり、大量の細菌やバクテリアは、大量の脂肪酸を発生させて、いわゆる「干物のような臭い」、「発酵したような臭い」等の不快な臭いを発する。このような足の不快な臭いが靴の中で発生するのを防ぐために、業界では様々な製品が提供されている。
【０００３】
例えば、特許文献１に記載された「定量使用するための靴用消臭粉末バッグ」は、内部にアルミ箔材質を用い、外見は紙でできた収納空間を有する袋状のパッケージで、袋内に約２グラムの消臭粉末が収納されていて、開封口を開けて消臭粉末を靴内に振りかけることで、靴内の消臭効果を達成するものである。特許文献１に記載された「定量使用するための靴用消臭粉末バッグ」は、その所定の消臭目的を達成するものの、その消臭粉末が直接鞋内に撒かれて足の裏に接触するため、身体の健康に多少の影響が出る上、靴内における足の感覚に影響を与える。
【０００４】
また、特許文献２に記載された「芳香効果を有する通気性靴中敷き」は、かかと部分及び足本体部分を有し、かかと部分に設置されたエアバック、エアバックに連結する収納部及びエアバックに連結する足本体部分の複数のエアチューブから構成されて、そのエアチューブ上に分布する複数の通気穴及び収納部内に設置された芳香器、芳香液または薬剤により、かかとがエアバックを押すと気流が発生して、芳香性の気体を提供することで、靴底や足の裏の臭いを除去する目的を達成する。特許文献２に記載された「芳香効果を有する通気性靴中敷き」は、エアバックを押すと気流が発生して、収納部内の芳香器、芳香液または薬剤に送られて、エアチューブを介してエアチューブに分布された複数の通気穴から靴内に発散されるため、上述のように、足の臭いが発生する主な原因が多汗、湿気であり、靴の中や足の部分に粘液が発生すれば、少なからず、その通気穴のスムーズな流れを塞ぐ。このため、エアチューブ上の通気穴が塞がれた時、または、足がエアバックをしっかりと押さないと、その足の裏の消臭効果は大幅に低下することになる。
【０００５】
さらに、特許文献３に記載された「靴の消臭板」は、密集板の前端両側に外に向かって突出するカーブを描く拡大部が設置されて、前記密集板は、木屑を粘着剤によって固めて成型したもので、前記密集板は、高温で焼くと同時にプレス加工されて、密集板の木屑構造を炭化させる。上述のように、前記密集板を靴の中に入れて消臭、除湿することで、細菌の繁殖を抑制すると同時に、資源節約の目的を達成する。特許文献３に記載された「靴の消臭板鞋之除臭板」は、主に、木屑が有する吸水、除湿効果により、細菌の繁殖を抑制し、消臭する目的を達成する。木屑は、確かに吸水、除湿効果を有するものの、このことで、その密集板を常に取り出して乾かして、その吸水、除湿効果を維持する必要があり、それを怠ると逆に細菌、バクテリアが大量に繁殖することになる。
つまり、上述の数種類の考案は、いずれもある程度の消臭効果を有するが、決して理想的だとは言えない。
【先行技術文献】
【特許文献】
【０００６】
【特許文献１】台湾実用新案公告Ｍ４３９０３９号
【特許文献２】台湾実用新案公告Ｍ３９１３１８号
【特許文献３】台湾実用新案公告Ｍ５１８００７号
【考案の概要】
【考案が解決しようとする課題】
【０００７】
本考案は、上述の点に鑑みてなされたものであり、構造が簡単で、使用が便利且つ低コストで、使用者がその消臭効果が消失した時に消臭剤の交換時期を知ることができる使い捨て靴消臭剤を提供することにある。
【課題を解決するための手段】
【０００８】
本考案に係る使い捨て靴消臭剤は、上下二個のカバー層と消臭粉末と複数の滑り止め粒とを備えている。
上下二個のカバー層は、粘着プレスにより密封され、内部に複数個の収納空間を有する。
消臭粉末は、複数個の収納空間内に充填されている。
複数の滑り止め粒は、上下二個のカバー層のうち、下側のカバー層の底面に設置されている。
消臭粉末が充填された後の複数個の収納空間は、いずれも上に向かってやや隆起している。
【０００９】
すなわち、本考案に係る使い捨て靴消臭剤は、通気、吸水性に優れた上下二個のカバー層により、粘着プレス製造されて密封され、内部に複数個の収納空間を有して消臭粉末が充填されて構成されるものであり、前記複数個の収納空間内に消臭粉末が充填されて、上に向かってやや隆起し、下部カバー層の底面には、複数個の滑り止め粒が設置されることで、それが靴内に装着されて使用される時に滑って位置がずれることがなく、同時に、使用者の足の裏が直接やや隆起する複数個の収納空間に接触して、前記収納空間内の消臭粉体が、吸水、通気性に優れた不織布を介して、足の裏の汗や湿気を吸収して、靴内において足が蒸れることなく、細菌やバクテリアの繁殖を抑制することで、消臭の効果を達成することを特徴とするものである。
本考案の使い捨て靴消臭剤は、特に、構造が簡単で、使用に便利で、低コスト且つ使用者がその消臭効果が消失した時に前記消臭剤の交換時期を知ることができる。
【図面の簡単な説明】
【００１０】
【図１】本考案の外観平面図である。
【図２】本考案の構造を示す断面図である。
【図３】本考案を靴内に設置する場合の分解図である。
【図４】本考案の使用実施例を示した図である。
【考案を実施するための形態】
【００１１】
図１、図２を参照しながら、本考案の使い捨て靴消臭剤について説明する。図１は、本考案の外観平面図、図２は、本考案の構造を示す断面図である。本考案の使い捨て靴消臭剤は、上下二個のカバー層１、２により粘着プレス製造されて密封され、内部に複数個の収納空間３を有して、前記複数個の収納空間内に消臭粉末４が充填されて構成される。上下二個のカバー層１、２のうち、下側のカバー層２の底面に複数の滑り止め粒２０が設置され、さらに、消臭パウダー４が充填された後の複数個の収納空間３は、いずれも上に向かってやや隆起する。使用時には、靴５内に装着するだけでよい。図２、３に示したように、複数の滑り止め粒２０により、本考案の使い捨て靴消臭剤が靴５内で滑って位置がずれることがなく、同時に、その上に向かってやや隆起していること、さらに、中に消臭粉末４が充填された複数個の収納空間３が直接使用者の足の裏６に接触することにより、図４に示したように、前記消臭粉末４が通気性、吸水性に優れる上下のカバー層１、２を介して、湿気、汗を吸収して、靴５内において足が蒸れることなく、細菌、バクテリアの繁殖を抑制して、消臭効果を達成する。
【００１２】
上述の上下二個のカバー層１、２は、通気性、吸水性に優れる不織布、または、通気性、吸水性に優れる布である。
【００１３】
上述の消臭粉末４は、カリウムミョウバン（ｐｏｔａｓｓｉｕｍ  ａｌｕｍ）と炭酸ナトリウム（ｓｏｄｉｕｍ  ｃａｒｂｏｎａｔｅ）との化合物、または、消臭薬剤である。これらは、水に溶けやすく、抗菌、殺菌及び収斂及び消臭等の作用を有するため、消臭の目的を達成する。
【００１４】
上述の消臭粉末４が湿気、汗を吸収して飽和状態になると、その湿気、汗の作用によって溶化現象が発生して、やや隆起している収納空間３が平坦状になる。この現象により、使用者は前記消臭粉末４の消臭効果が消失し、新しいものと交換する時期が来たことを知ることができる。
【００１５】
このように、本考案の使い捨て靴消臭剤は、構造が簡単で、使用上便利であると同時に、低コストであり、さらに、使用者がその消臭効果が消失した時に前記消臭剤の交換時期を知ることができるという特徴を有する。上下二個のカバー層１、２が粘着プレス製造されて密封され、内部に複数個の収納空間３を有して、前記複数の収納空間３内にいずれも消臭粉末４が充填されて構成される。使用時には、靴５内に本考案の使い捨て靴消臭剤を装着するだけでよく、下側のカバー層２の底面に、複数の滑り止め粒２０が設置されることで、本考案の使い捨て靴消臭剤が靴５内で滑り位置がずれることがない。同時に、上に向かってやや隆起し、さらに、内部に消臭粉末４が充填された複数の収納空間３を有することで、使用者の足の裏６に直接接触し、その消臭粉末４が通気性、吸水性に優れる上下のカバー層１、２によって、湿気、汗が吸収されて、靴５内において足が蒸れることがないため、細菌、バクテリアの繁殖を抑制して、消臭の効果を達成する。
【００１６】
以上、本考案の実施例を図面を参照して詳述してきたが、具体的な構成は、これらの実施例に限られるものではなく、本考案の要旨を逸脱しない範囲の設計変更などがあっても、本考案に含まれる。
【符号の説明】
【００１７】
１            上側のカバー層
２            下側のカバー層
２０          滑り止め粒
３            収納空間
４            消臭粉末
５            靴
６            足の裏
【図１】
0003214397.tif 000003
【図２】
0003214397.tif 000004
【図３】
0003214397.tif 000005
【図４】
0003214397.tif 000006